(57)【特許請求の範囲】
【請求項１】
停電となった場合に各種データを保持するための停電補償用電池を内蔵し、測定対象の電力線からの電力により前記停電補償用電池を充電する充電手段を備えた電子式電力量計において、前記充電手段は前記電力線に接続された充電回路と、当該充電回路と前記停電補償用電池との間に直列に接続された開閉手段と、前記停電補償用電池の電圧を監視する停電補償用電池電圧監視手段と、前記停電補償用電池電圧監視手段で検出した電圧を外部へ送信し前記開閉手段を開閉するための開閉信号を受信する送受信手段とを備えたことを特徴とする電子式電力量計。
【請求項２】
請求項１記載の電子式電力量計において、前記送受信手段は電話回線を用いて送受信を行うことを特徴とする電子式電力量計。
【請求項３】
請求項１記載の電子式電力量計において、前記送受信手段は前記電力線を用いて送受信を行うことを特徴とする電子式電力量計。
【請求項４】
請求項１記載の電子式電力量計において、前記送受信手段は専用に設けた専用線を用いて送受信を行うことを特徴とする電子式電力量計。
【請求項５】
請求項１記載の電子式電力量計において、前記送受信手段は無線を用いて送受信を行うことを特徴とする電子式電力量計。
【発明の詳細な説明】
【０００１】
【発明の属する技術分野】
本発明は、電子式電力量計の停電補償機能に関する。
【０００２】
【従来の技術】
電子式電力量計は、積算流量等のデータを半導体等の記憶手段に記憶しており、その電源は測定対象の電力線から得ている。ために、停電になると記憶手段等への電源供給ができず、特に記憶手段がＲＡＭ等による半導体である場合には積算電力量等のデータが消失してしまうため、これを防止するためにバックアップ用として停電補償用電池を備え、停電になった場合にはこの停電補償用電池から電源供給を行なうよう構成されている。
【０００３】
また、電力量計は検定制度に則って検定有効期間内は封印された状態で使用されるが、前記停電補償用電池は封印された電力量計内に内蔵されるため、前記検定有効期間内の前記停電補償用電池の交換は困難な状況にある。
このため、一般的には検定有効期間内の累積停電時間を予想し、この累積停電時間の間は電源供給可能な容量の電池を停電補償用電池として使用している。
【０００４】
【発明が解決しようとする課題】
前記従来の技術においては、検定有効期間内の累積停電時間を予想して必要と考えられる容量の電池を内蔵するようにしているので、当該電池は容量に応じた大きさのものを使用しなければならず、また予想した累積停電時間を越える停電があった場合には記憶していたデータは消失してしまうという課題がある。
【０００５】
データの安全性を高めるには大きな電池を使用しなければならないため電力量計の小形化には不利であり、また電池を交換するには再度検定を受けなければならず実用的ではなくなってしまうのである。
【００１１】
請求項１記載の発明は、停電となった場合に各種データを保持するための停電補償用電池を内蔵した、測定対象の電力線からの電力により前記停電補償用電池を充電する充電手段を備えたことを特徴とする電子式電力量計において遠隔にて前記停電補償用電池の電圧監視及び充電を行なうべく、前記停電補償用電池電圧監視手段で検出した電圧を外部へ出力しまた外部から前記開閉手段を開閉するための開閉信号を受信する送受信手段を設けたものである。
【００１２】
請求項２記載の発明は請求項１記載の発明において前記送受信手段が電話回線を用いて通信を行なうものであり、請求項３記載の発明は請求項１記載の発明において前記送受信手段が測定対象である電力線を用いて通信を行なうものであり、請求項４記載の発明は請求項１記載の発明において前記送受信手段が専用線を用いて通信を行なうものであり、請求項５記載の発明は請求項１記載の発明において前記送受信手段が無線を用いて通信を行なうものである。
【００１３】
【発明の実施の形態】
本発明の実施例を図１〜図１０を用いて説明する。
図１は、本発明に係る第１実施例で電子式電力量計１の発明に関連する部分の外形図であり、停電補償用電池の残存容量を表示する電池残量表示装置２と、停電補償用電池への充電を指示する押しボタンで構成された充電回路操作スイッチ３が備えられている。
【００１４】
図２は、図１記載の電子式電力量計の発明該当部分の構成図であり、充電回路操作スイッチ３と、このスイッチ３に接続されスイッチ３が押された場合に充電回路スイッチ５ａを所定時間だけ閉成する制御回路部４と、この制御回路部４によって充電用電源に接続された回路の開閉が制御される充電回路スイッチ５ａを備えた充電回路部５と、この充電回路部５に接続された停電補償用電池６とから構成されている。
【００１５】
なお、以後説明するの実施例も含めて前記充電用電源は図には記載していないが、本電力量計が測定対象としている電力線から直流電流を生成して用いることができる。
【００１６】
本第１実施例においては、定期的もしくは電池残量表示装置２に表示される残存容量により充電回路操作スイッチ３を押すことにより、充電回路スイッチ５ａが所定時間だけ閉成され停電補償用電池６が充電される。このため、停電補償用電池６は小形のものでよく、また残量が少なくなる都度交換する必要もなくなった。
【００１７】
図３は第２実施例の構成図で、その特徴は停電補償用電池６の電圧を電池電圧監視回路７で監視し、電池の電圧が低下した場合には自動的に電池を充電するようにしたものである。
【００１８】
停電補償用電池６の電圧は、電池電圧監視回路７の比較回路７ａに入力されて基準電圧と比較され、停電補償用電池６の電圧が前記基準電圧よりも低い場合には、比較回路７ａは制御回路部４１に電圧低下を示す信号を出力する。制御回路部４１はこの信号を受けると充電回路部５１の充電回路スイッチ５１ａを所定時間閉成し、充電回路部５１に接続された充電用電源から停電補償用電池６を充電する。
【００１９】
本第２実施例によれば、停電補償用電池６の電圧低下を検出して自動的に充電を行なうため、人手により充電操作を行なう必要がない。家庭用の電力量計等では検針時に人手で充電操作を行ってもよいが、家庭用の電力量計は台数が多く漏れなく確実に充電を行うことは難しい。しかし、本第２実施例によれば自動的に充電を行うので確実に充電を行うことが可能となったものである。
【００２０】
図４は第３実施例の構成図で、充電能力の異なる２系統の充電回路を有している。すなわち、充電回路部５２には充電回路スイッチ５２ａ，５２ｂを備えた充電回路が設けられているが、これらの充電回路の充電能力は通常の充電用と急速充電用となっている。また、電池電圧監視回路７１には停電補償用電池６の電圧低下を検出して制御部４２に信号を出力する２つの比較器７１ａ，７１ｂが設けられており、それぞれ異なった電圧で信号を出力するようになっている。
【００２１】
例えば、充電回路スイッチ５２ａを備えた充電回路が通常の充電用で充電回路スイッチ５２ｂを備えた充電回路が緊急充電用であり、比較器７１ｂが比較器７１ａよりも低い停電補償用電池６の電圧を検出したときに信号を出力するものであるとする。この場合、停電補償用電池６の電圧が低下するとまず比較器７１ａから信号が制御部４２に出力され、制御部４２は充電回路スイッチ５２ａに信号を出力して充電回路スイッチ５２ａを閉成させ充電をおこなう。しかし、これで十分でない場合は停電補償用電池６の電圧はさらに低下するので比較器７１ｂから信号が制御部４２に出力され、制御部４２は充電回路スイッチ５２ｂに信号を出力して充電回路スイッチ５２ｂを閉成する。
【００２２】
このため、停電補償用電池６に急激に大きな電圧降下が生じた場合でも、より強力に停電補償用電池６を充電することが可能となった。
また、図４記載の構成では比較器を２つ設けているが、停電補償用電池６の電圧やその降下速度を制御部４２が直接的または間接的に監視し、通常の充電回路による充電では不十分と判断される場合には充電回路スイッチ５２ｂを閉成するよう制御してもよい。
【００２３】
図５及び図６は第４実施例である通信回線を介して制御を行う技術を説明する構成図で、図６は図５の構成を備えた電力量計１００が一般電話回線により中央制御装置１０５に接続されて制御される構成となっている。
【００２４】
図５は、図３記載の構成に通信端子８が追加された構成となっているが、本第４実施例における制御部４３は電池電圧監視回路７２の比較器７２ａからの信号を受けると通信端子８に出力し、また通信端子８から充電を指示する信号を受けると充電回路スイッチ５３ａに信号を出力して充電回路スイッチ５３ａを閉成し停電補償用電池６を充電するよう制御する。
【００２５】
図６において、１００は電力量計であり複数の電力量計１００が１台の網制御装置１０１に接続されている。網制御装置１０１は、加入者回線で接続された着信側交換機１０２、着信側交換機１０２と一般電話回線で接続された発信側交換機１０３、発信側交換機１０３とセンタ回線で接続された網制御装置１０４を介して中央制御装置１０５に接続される。
【００２６】
このように構成された本第４実施例においては、網制御装置１０１によって電力量計１００の１つが選択され、中央制御装置１０５と通信を行う。すなわち、選択された電力量計１００において停電補償用電池６の電圧が低下し比較器７２ａから信号が出力されると、制御部４３は停電補償用電池６の電圧が低下していることを示す信号を網制御装置１０１に出力し、前記の経路を経て中央制御装置１０５に送信される。
【００２７】
中央制御装置１０５では受信した停電補償用電池６の電圧を示す信号から、停電補償用電池６の充電が必要か否かを判断し、充電が必要と判断した場合には充電を指示する信号を逆に送信する。この充電を指示する信号を電力量計１００の制御部４３が受信すると、充電回路スイッチ５３ａを閉成して充電を行う。
【００２８】
この充電は、前記第２実施例の場合と同様に所定時間充電回路スイッチ５３ａを閉成するよう制御部４３にて制御されるが、一定でなくとも他の方法で定められた時間充電でもよい。
【００２９】
また、図５記載の構成では電池電圧監視回路７２を設けて停電補償用電池６の電圧が所定以下に低下した場合のみ中央制御装置１０５に信号を送信するものとなっているが、所定時間毎に停電補償用電池６の電圧を示す信号を中央制御装置１０５に出力し制御するようにしてもよい。
【００３０】
図７は第５実施例の構成図であり、図６記載の一般電話回線の使用に代えて電力量計での計測対象である電力線に通信の信号を重畳させて通信を行うよう構成したものである。
【００３１】
図７において、電力量計１００の制御部４３は通信線により伝送端末器１０６に接続され、伝送端末器１０６は電力量計１００での計測対象の電力線である低圧線を介して高圧結合中継器１０７に接続され、高圧結合中継器１０７は前記電力線よりも高圧な高圧線を介して搬結装置１０８に接続され、搬結装置１０８は通信線を介して中央制御装置１０５に接続されている。
【００３２】
このように構成された本第５実施例では、電力量計１００において停電補償用電池６の電圧が低下し比較器７２ａから信号が出力されると、制御部４３は停電補償用電池６の電圧が低下していることを示す信号を伝送端末器１０６に出力し、伝送端末器１０６は低圧線にその信号を重畳する。低圧線には交流の電圧が流れているので、この交流電圧に制御部４３からの信号を重畳する。この信号は高圧結合中継器１０７で分離されて受信され、より高圧な電力線である高圧線に信号を重畳し、搬結装置１０８はこの信号を分離して受信し中央制御装置１０５に送信する。中央制御装置１０５は前記第４実施例と同様に処理を行い、必要な場合には充電を指示する信号を前述の経路と逆に送信する。
【００３３】
図８は第６実施例の構成図であり、図６記載の一般電話回線の使用に代えて専用線を用いて通信を行うよう構成したものである。
図８において、電力量計１００の制御部４３は専用線により伝送端末器１０６，１０８及び中央制御装置１０５に接続され、中央制御装置１０５との間で前述の通信を行い停電補償用電池６の充電を制御する。
【００３４】
図９は第７実施例の構成図であり、図６記載の一般電話回線の使用に代えて無線を用いて通信を行うよう構成したものである。
図９において、電力量計１００の制御部４３は通信線によりアンテナ１１１が設けられた無線端末１１０に接続されており、また中央制御装置１０５には通信線をによりアンテナ１１１が設けられた無線端末１０９が接続された無線用の網制御装置１０１が接続されている。
【００３５】
図９記載の本第７実施例においては、中央制御装置側に網制御装置１０１を設けて複数の電力量計１００との間の信号の授受を制御しているが、電力量計側に網制御装置１０１を設けて制御するようにしてもよい。
【００３６】
図１０は第８実施例の構成図であり、図６記載の一般電話回線の使用に代えて光通信回線を用いて通信を行うよう構成したものである。
図１０記載の本第８実施例においては、光ファイバによって電力量計１００は光端局１１２に接続され、光端局１１２は集線装置１１３に接続され、集線装置１１３はＰＳ網１１４に接続され、ＰＳ網１１４は中央制御装置１０５に接続され、前述の実施例と同様に電力量計１００の制御部４３と中央制御装置１０５との間で信号を送受信するよう構成されている。
【００３７】
【発明の効果】
本発明によれば、停電時に各種データを保持する停電補償用電池の充電を行えるようにしたので、従来に比して容量の小さい停電補償用電池を使用することができるので電力量計の小形化が可能となり、また検定有効期間内に停電補償用電池を交換する必要もなくなった。
【図面の簡単な説明】
【図１】本発明に係る電子式電力量計の発明関連部分の外形図。
【図２】本発明の第１実施例を説明する構成図。
【図３】本発明の第２実施例を説明する構成図。
【図４】本発明の第３実施例を説明する構成図。
【図５】本発明の第４実施例を説明する構成図。
【図６】本発明の第４実施例を説明する構成図。
【図７】本発明の第５実施例を説明する構成図。
【図８】本発明の第６実施例を説明する構成図。
【図９】本発明の第７実施例を説明する構成図。
【図１０】本発明の第８実施例を説明する構成図。
【符号の説明】
３…充電回路操作スイッチ，４，４１，４２，４３…制御回路部，５，５１，５２…充電回路部，５ａ，５２ａ，５２ｂ，５３ａ…充電回路スイッチ，６…停電補償用電池，７，７１，７２…電池電圧監視回路，７ａ，７１ａ，７１ｂ，７２ａ…比較器，８…通信端子，１００…電力量計，１０１，１０４…網制御装置，１０２…着信側交換機，１０３…発信側交換機，１０５…中央制御装置，１０６，１０８…伝送端末器，１０７…高圧結合中継器，１０８…搬結装置，１０９…無線端末，１１０…無線端末，１１１…アンテナ，１１２…光端局，１１３…集線装置，１１４…ＰＳ網
【図１】
0003763940.tif 000002
【図２】
0003763940.tif 000003
【図３】
0003763940.tif 000004
【図４】
0003763940.tif 000005
【図５】
0003763940.tif 000006
【図６】
0003763940.tif 000007
【図７】
0003763940.tif 000008
【図８】
0003763940.tif 000009
【図９】
0003763940.tif 000010
【図１０】
0003763940.tif 000011